(57)【要約】【課題】重さを容易に変更することの可能なベーゴマを提供する。【解決手段】ベーゴマ１００は、ベーゴマ本体１１０と、ベーゴマ本体１１０に設けられる１又は複数の空洞部１２０と、少なくともいずれか１つの空洞部１２０に着脱自在に収納される１又は２以上の錘１３０と、を備えたことを特徴とする。空洞部１２０に錘１３０を収納するだけで、ベーゴマ１００の重さを容易に変更することが可能である。すなわち、空洞部１２０に収納する錘１３０の組合せにより総重量を調整することができる。このため、使用者の力量に最も適した重さに調整されたベーゴマ１００を実現することができる。また、ベーゴマ本体１１０の外形及び寸法も変わらない。【選択図】図１
2018033513.tif 000002
【特許請求の範囲】
【請求項１】
ベーゴマ本体と、
前記ベーゴマ本体に設けられる１又は２以上の空洞部と、
少なくともいずれか１つの前記空洞部に着脱自在に収納される１又は２以上の錘と、
を備えたことを特徴とするベーゴマ。
【請求項２】
前記錘は、前記空洞部にネジ嵌合又は挟み込みにより着脱自在に収納されることを特徴とする、請求項１に記載のベーゴマ。
【請求項３】
前記空洞部は、前記ベーゴマ本体の回転軸上に１つ及び周辺部に１又は２以上設けられることを特徴とする、請求項１又は２に記載のベーゴマ。
【請求項４】
前記空洞部は、前記ベーゴマ本体の上部に設けられており、
前記ベーゴマ本体には、前記空洞部を覆う蓋を設けたことを特徴とする、請求項１〜３のいずれかに記載のベーゴマ。
【請求項５】
前記蓋は透明であることを特徴とする、請求項４に記載のベーゴマ。
【請求項６】
１又は２以上の前記空洞部を設けたカートリッジをさらに備え、
前記カートリッジは、前記ベーゴマ本体に着脱自在に組み付け可能であることを特徴とする、請求項１〜５のいずれかに記載のベーゴマ。
【請求項７】
前記錘は、外径が同一で重さの異なる積層可能な複数種類の円形プレート状であることを特徴とする、請求項１〜６のいずれかに記載のベーゴマ。
【請求項８】
前記錘は、外径と厚みが同一であり、内径が異なる複数種類の円筒リング状であることを特徴とする、請求項１〜６のいずれかに記載のベーゴマ。
【請求項９】
前記錘は、積層可能な正多角形プレートであり、
前記正多角形プレートの対角径は、前記ベーゴマ本体の直径よりも大きいことを特徴とする、請求項１〜６のいずれかに記載のベーゴマ。
【請求項１０】
前記空洞部は、前記錘の高さよりも深く構成されており、
前記錘は、前記空洞部の任意の深さに収納可能であることを特徴とする、請求項１〜９のいずれかに記載のベーゴマ。
【請求項１１】
前記錘は、前記ベーゴマ本体の外周より突出した状態で前記空洞部に収納されることを特徴とする、請求項１〜１０のいずれかに記載のベーゴマ。
【請求項１２】
前記錘は、前記ベーゴマ本体の外周より突出する状態と突出しない状態とを切り替え可能に前記空洞部に収納されることを特徴とする、請求項１〜１０のいずれかに記載のベーゴマ。
【請求項１３】
前記空洞部は、内壁面にゴム又は軟性プラスチックが設けられ、前記錘を弾力又は摩擦力により保持することを特徴とする、請求項１〜１２のいずれかに記載のベーゴマ。
【請求項１４】
前記空洞部は、前記ベーゴマ本体の回転軸に対して非対称となる位置に設けられることを特徴とする、請求項１〜１３のいずれかに記載のベーゴマ。
【発明の詳細な説明】
【技術分野】
【０００１】
本発明は、ベーゴマに関する。
【背景技術】
【０００２】
ベーゴマ（貝独楽、べいごま、ばいごまとも称される）は、小さな独楽（こま）の一種であり、大正時代頃から高度経済成長期にかけて、日本の子供たちの遊びに盛んに用いられた（非特許文献１参照）。ベーゴマには使用者ごとに最も高速回転が出せるべーゴマの最適な重量が存在する。ベーゴマを投げ出すスピードと紐を引き戻す力とスピードには人それぞれに限界があり、ベーゴマの重さと形状によりほぼ決まる。このため、ベーゴマの形状が使用者にフィットしても、重量が重すぎると、床の手前に落ちてしまったり、紐を素早く引き切れずにベーゴマの回転数が上がらなかったりする。このようなことから、特にベーゴマの競技においては、競技者ごとに最も高速回転が出せるベーゴマを選択することが重要である。
【先行技術文献】
【非特許文献】
【０００３】
【非特許文献１】インターネット＜ＵＲＬ：https://ja.wikipedia.org/wiki/%E3%83%99%E3%83%BC%E3%82%B4%E3%83%9E＞
【発明の概要】
【発明が解決しようとする課題】
【０００４】
しかしながら、一般に市販されている従来のベーゴマ（鋳鉄製又はダイキャスト製）はすでに形状と重量が決まっている。このため、例えば、ベーゴマを軽くするためにはヤスリがけして削ったり、重くするには上面に金属プレートを貼ったりする以外に方法がなかった。すなわち、ベーゴマの重さを変更することは容易ではなかった。
【０００５】
そこで本発明は、このような問題に鑑みてなされたものであり、その目的とするところは、ベーゴマの重さを容易に変更することの可能な、新規かつ改良されたベーゴマを提供することにある。
【課題を解決するための手段】
【０００６】
上記課題を解決するために、本発明によれば、ベーゴマ本体と、前記ベーゴマ本体に設けられる１又は２以上の空洞部と、少なくともいずれか１つの前記空洞部に着脱自在に収納される１又は２以上の錘と、を備えたことを特徴とするベーゴマが提供される。
【０００７】
かかる構成によれば、空洞部に錘を収納するだけで、ベーゴマの重さを容易に変更することが可能である。すなわち、空洞部に収納する錘の数や組合せにより総重量を調整することができる。このため、使用者の力量に最も適した重さに調整されたベーゴマを実現することができる。また、ベーゴマ本体の外形及び寸法を変えることなく重量のみを変更することも可能である。
【０００８】
本発明は以下のようなさまざまな応用が可能である。以下に説明する本発明の応用例は、適宜組み合わせることが可能である。
【０００９】
例えば、前記錘は、前記空洞部にネジ嵌合又は挟み込みにより着脱自在に収納されるようにしてもよい。かかる構成によれば、錘を空洞部に容易に着脱自在に収納することができる。
【００１０】
また、前記空洞部は、前記ベーゴマ本体の回転軸上に１つ及び周辺部に１又は２以上設けられるようにしてもよい。かかる構成によれば、収納する錘の個数がいくつであっても、バランスよく収納できる可能性が高まり、ベーゴマの重さ調整のバリエーションが広がる。
【００１１】
また、前記空洞部は、前記ベーゴマ本体の上部に設けられており、前記ベーゴマ本体には、前記空洞部を覆う蓋を設けてもよい。かかる構成によれば、蓋を被せることにより、錘が空洞部から飛び出すことを防止したり、錘を空洞部に固定したりすることができる。
【００１２】
空洞部を覆う蓋を設ける場合、蓋は透明であってもよく透明でなくてもよい。蓋を透明にすれば、空洞部にどのように錘を収納したか確認が容易になる。また例えば、空洞部に、時計、彫金、彫像、銅像、粘土細工、ジオラマ、絵画などを収納し、透明の蓋を介してこれらが見えるようにすることによって、ベーゴマのこれまでにない利用の仕方ができる。一方、蓋を透明でないものにして、空洞部にどのように錘を収納したか他者にわからないようにしてもよい。
【００１３】
また、１又は２以上の前記空洞部を設けたカートリッジをさらに備え、前記カートリッジは、前記ベーゴマ本体に着脱自在（に組み付け可能）であってもよい。すなわち、錘をベーゴマ本体に直接収納する代わりに、カートリッジを介して収納するようにしてもよい。なお、このような構成も、ベーゴマ本体に空洞部を設けたと言うことができる。かかる構成によれば、カートリッジをベーゴマ本体に着脱するという１回の作業で、ベーゴマ本体に１又は複数個の錘を同時に着脱することができるので、着脱作業が容易である。
【００１４】
また、前記錘は、外径が同一で重さの異なる積層可能な複数種類の円形プレート状であってもよい。かかる構成によれば、複数種類の円形プレート状の錘を組み合わせて積層することによって、ベーゴマ本体の外形及び寸法を変えることなく総重量を調整することができる。
【００１５】
また、前記錘は、外径と厚みが同一であり、内径が異なる複数種類の円筒リング状であってもよい。かかる構成によれば、任意の重さの錘をベーゴマ本体の空洞部に同軸に固定し重量調整することができる。また、円筒リング状の錘をベーゴマ本体と同軸にはめ込むことができるため、回転のバランスを保つことができる。
【００１６】
また、前記錘は、積層可能な正多角形プレートであり、前記正多角形プレートの対角径は、前記ベーゴマ本体の直径よりも大きいように構成してもよい。かかる構成によれば、ベーゴマ同士がぶつかり合う打突部を構成することができる。また、正多角形プレートを取り付ける位置によって、打突部のある状態と打突部のない状態とを変形したり、打突部の数を変えたりすることができる。
【００１７】
また、前記空洞部は、前記錘の高さよりも深く構成されており、前記錘は、前記空洞部の任意の深さに収納可能であってもよい。かかる構成によれば、ベーゴマの重心の高さを変えることができる。よって、ベーゴマの回転特性、例えば安定感などを変えることができる。
【００１８】
また、前記錘は、前記ベーゴマ本体の円錐部の外周より突出して前記空洞部に収納されるようにしてもよい。かかる構成によれば、ベーゴマ同士がぶつかり合う打突部を構成することができる。さらに、空洞部に収納する錘の大きさ、材質及び個数を変更することにより重量調整をすることができる。なお、かかる打突部を構成することにより、ベーゴマの外形、外観及び寸法が変わることもあるが、この場合でも、他の応用例と組み合わせることができる。例えば、空洞部を覆う蓋を設ける構成と組み合わせることも可能である。
【００１９】
また、前記錘は、前記ベーゴマ本体の外周より突出する状態と突出しない状態とを切り替え可能に前記空洞部に収納されるようにしてもよい。かかる構成によれば、錘をベーゴマ本体の外周より突出させることにより、ベーゴマ同士がぶつかり合う打突部を構成することができる。このような打突部がある状態と、打突部がない状態とを切り替えることができる。
【００２０】
また、前記空洞部は、内壁面にゴム又は軟性プラスチックが設けられ、前記錘を弾力又は摩擦力により保持するようにしてもよい。空洞部にネジ穴などを形成することなくシンプルな構成とすることができる。
【００２１】
また、前記空洞部は、前記ベーゴマ本体の回転軸に対して非対称となる位置に設けられるようにしてもよい。かかる構成によれば、非対称となる位置に設けられた空洞部に錘を収納することで、回転時に芯振れを起こすことなどができ、ベーゴマの動きにバリエーションが広がる。
【発明の効果】
【００２２】
本発明のベーゴマによれば、ベーゴマの重さを容易に変更することが可能である。本発明のその他の効果については、以下の発明を実施するための形態の項でも説明する。
【図面の簡単な説明】
【００２３】
【図１】（第１の実施形態）ベーゴマ１００を説明するための図であり、（ａ）は平面図であり、（ｂ）は側断面図である。
【図２】（第１の実施形態）錘１３０を説明するための図であり、（ａ）は外周に雄ネジが形成された錘であり、（ｂ）は挟み込み用の錘である。
【図３】（第２の実施形態）ベーゴマ２００を説明するための図であり、（ａ）は平面図であり、（ｂ）は側断面図である。
【図４】（第２の実施形態）ベーゴマ本体を説明するための図であり、（ａ）は平面図であり、（ｂ）は側断面図である。
【図５】（第２の実施形態）錘２３０を説明するための図であり、（ａ）は平面図であり、（ｂ）は側断面図である。
【図６】（第３の実施形態）ベーゴマ３００の断面図である。
【図７】（第３の実施形態）錘３３０を説明するための図であり、（ａ）は平面図であり、（ｂ）は側断面図である。
【図８】（第４の実施形態）錘４３０を説明するための図であり、（ａ）は平面図であり、（ｂ）は側断面図である。
【図９】（第５の実施形態）ベーゴマ５００を説明するための図である。
【図１０】（第６の実施形態）ベーゴマ６００を説明するための図である。
【図１１】（第６の実施形態）ベーゴマ６００に錘６３０を３つ収納した状態を示す図であり、（ａ）は平面図であり、（ｂ）は（ａ）の側断面図であり、（ｃ）は回転時に傾いた状態を示す側断面図である。
【図１２】（第７の実施形態）ベーゴマ７００を説明するための図である。
【図１３】（第８の実施形態）ベーゴマ８００を説明するための図である。
【図１４】（第９の実施形態）ベーゴマ９００を説明するための図である。
【図１５】（第９の実施形態）ベーゴマ９００を説明するための図である。
【図１６】（第１０の実施形態）ベーゴマ１０００を説明するための図である。
【図１７】（第１０の実施形態）ベーゴマ１０００を説明するための図である。
【発明を実施するための形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
（第１の実施形態）
第１の実施形態にかかるベーゴマ１００について、図１及び図２を参照しながら説明する。図１はベーゴマを説明するための図であり、（ａ）は平面図であり、（ｂ）は側断面図である。図２は錘を説明するための図であり、（ａ）は外周に雄ネジが形成された錘であり、（ｂ）は挟み込み用の錘である。
【００２６】
本実施形態のベーゴマ１００は、図１及び図２に示したように、ベーゴマ本体１１０と、ベーゴマ本体１１０に設けられる空洞部１２０と、空洞部１２０に着脱自在に収納可能な錘１３０と、を備えたことを特徴とする。ベーゴマ１００は、ベーゴマ本体１１０に錘１３０を収納可能な７つの空洞部１２０を備えており、リボルバー式の拳銃の弾丸を装填する部分のように構成される。以下、このような構成をリボルバー式という。
【００２７】
以下、ベーゴマ１００の各構成要素について、詳細に説明する。
【００２８】
（ベーゴマ本体１１０）
ベーゴマ本体１１０は、ベーゴマ１００の外形をなす部分であり、図１に示したように、比較的浅い円錐型で、底にも上面にも軸が飛び出していない形状である。ベーゴマ本体１１０は、一般的なベーゴマと同様の材質で構成することができる。ただし必ずしも鋳鉄製又はダイキャスト製に限定されるものではない。ベーゴマ本体１１０の上部には、図１に示したように、錘１３０を着脱自在に収納可能な複数の空洞部１２０が設けられている。
【００２９】
（空洞部１２０）
空洞部１２０は、図１に示したように、ベーゴマ本体１１０の上部に設けられている。空洞部１２０は円筒状であり、図１（ａ）に示したように、ベーゴマ本体１１０の回転軸上に１個（空洞部１２０−１）、及びその周辺部の上部に６個（空洞部１２０−２〜１２０−７）設けられている。空洞部１２０の内面には雌ネジ１２０ａが形成されている。この雌ネジ１２０ａによって、錘１３０を着脱自在に収納することができる。
【００３０】
（錘１３０）
錘１３０は、ベーゴマ１００の重さ調整のために空洞部１２０に収納されるものである。錘１３０は、図２に示したように、空洞部１２０に対応した形状である円柱状で構成される。錘１３０は、空洞部１２０にネジ嵌合により着脱自在に収納される。このために錘１３０には、図２（ａ）に示したように、外周に雄ネジ１３０ａが形成されている。この雄ネジ１３０ａは、空洞部１２０の内面に形成される雌ネジ１２０ａに対応するものである。
【００３１】
錘１３０の上面には、図２（ａ）に示したように、ドライバーなどを挿入可能な溝１３０ｂが設けられている。錘１３０を空洞部１２０に収納する際には、錘１３０を空洞部１２０の上方に置いて、溝１３０ｂにドライバーなどを挿入し、錘１３０を空洞部１２０に対してねじ止めすることができる。
【００３２】
なお、本実施形態では、錘１３０は図２（ａ）に示した形態であるものとして説明するが、錘の形態はこれに限定されるものではない。錘の他の形態としては、図２（ｂ）に示したように、ネジが形成されていない単なる円筒状であってもよい。この場合、空洞部１２０に収納された錘が外れないようにするためには、何らかの工夫が必要である。例えば、空洞部の構成を工夫して錘を挟み込めるようにしたり、空洞部１２０の上部に蓋を設けたりするなど、何らかの工夫が必要である。この点については、さらに後述する。
【００３３】
錘１３０の１個あたりの重さは、材質や密度を調整することにより、例えば５ｇや１０ｇとすることができる。５ｇの錘と１０ｇの錘を併用してもよい。本件出願人の知見としては、例えば、５ｇごと（例えば３５ｇ、４０ｇ、４５ｇ、５０ｇ、５５ｇの５段階）に調整できたり、又は１０ｇごと（例えば３５ｇ、４５ｇ、５５ｇ、６５ｇの４段階）に調整できたりすることが好ましい。５ｇの錘や１０ｇの錘を適宜数用いれば、このような細かい調整も可能となる。
【００３４】
以上、本実施形態にかかるベーゴマ１００の構成について説明した。次に、ベーゴマ１００の重量調整方法について説明する。ベーゴマ１００の重量は１個〜７個の錘１３０のうち、適宜の数を空洞部１２０に収納することによって行われる。錘１３０は空洞部１２０にネジ嵌合（又は挟み込み）により着脱自在に収納される。以下、ベーゴマ本体１１０の重量を２０ｇとし、５ｇの錘１３０を１個〜７個、空洞部１２０に収納する方法について順に説明する。
【００３５】
まず、１個の錘１３０を収納する場合、錘１３０は、ベーゴマ本体１１０の回転軸に設けられた中央の空洞部１２０−１に収納される。これにより、１個の錘１３０はベーゴマ本体１１０の回転軸の位置に設けられため、ベーゴマ１００は、バランスよく回転することができる。ベーゴマ１００の重量は２５ｇとなる。
【００３６】
次に、２個の錘１３０を収納する場合、２個の錘１３０は、ベーゴマ本体１１０の中央の空洞部１２０−１を挟んで対向する位置にある２つの外周側の空洞部１２０−２、１２０−５に収納される。これにより、２個の錘１３０はベーゴマ本体１１０の外周側において、直径方向に直線状に並ぶため、ベーゴマ１００は、バランスよく回転することができる。ベーゴマ１００の重量は３０ｇとなる。
【００３７】
また、３個の錘１３０を収納する場合、上記２つの空洞部１２０−２、１２０−５に収納した状態に加えて、さらに３個目の錘１３０がベーゴマ本体１１０の中央の空洞部１２０−１に収納される。これにより、３個の錘１３０はベーゴマ本体１１０の直径方向に直線状に並ぶため、ベーゴマ１００はバランスよく回転することができる。また、すべて外周側の空洞部１２０−２、１２０−４、１２０−６に収納しても、ベーゴマ１００はバランスよく回転することができる。ベーゴマ１００の重量は３５ｇとなる。
【００３８】
次に、４個の錘１３０を収納する場合、上記２つの空洞部１２０−２、１２０−５に収納した状態に加えて、さらに２個の錘１３０がベーゴマ本体１１０の中央の空洞部１２０−１を挟んで対向する位置にある２つの外周側の空洞部１２０−３、１２０−６にそれぞれ収納される。これにより、４個の錘１３０はベーゴマ本体１１０の外周側において、２方向の直径方向に直線状に並ぶため、ベーゴマ１００はバランスよく回転することができる。また、中央の空洞部１２０−１を含む配置として、空洞部１２０−１、１２０−２、１２０−４、１２０−６に収納しても、ベーゴマ１００はバランスよく回転することができる。ベーゴマ１００の重量は４０ｇとなる。
【００３９】
また、５個の錘１３０を収納する場合、上記４つの空洞部１２０−２、１２０−３、１２０−５、１２０−６を収納した状態に加えて、さらに５個目の錘１３０がベーゴマ本体１１０の中央の空洞部１２０−１に収納される。これにより、５個の錘１３０はベーゴマ本体１１０の２方向の直径方向に直線状に並ぶため、ベーゴマ１００はバランスよく回転することができる。ベーゴマ１００の重量は４５ｇとなる。
【００４０】
次に、６個の錘１３０を収納する場合、６個の錘１３０が６つあるすべての外周側の空洞部１２０−２〜１２０−７にそれぞれ収納される。これにより、６個の錘１３０はベーゴマ本体１１０の外周側において、３方向の直径方向に直線状に並ぶため、ベーゴマ１００はバランスよく回転することができる。ベーゴマ１００の重量は５０ｇとなる。
【００４１】
最後に、７個の錘１３０を収納する場合、上記６個の錘１３０を収納した状態に加えて、さらに７個目の錘１３０がベーゴマ本体１１０の中央の空洞部１２０−１に収納される。これにより、７個の錘１３０はベーゴマ本体１１０の３方向の直径方向に直線状に並ぶため、ベーゴマ本体１１０は、バランスよく回転することができる。ベーゴマ１００の重量は５５ｇとなる。
【００４２】
以上、ベーゴマ１００の重量調整方法について説明した。なお、錘１３０の収納位置は上記例に限定されない。また、上記例では、ベーゴマ本体１１０がバランスよく回転する場合の一例について説明したが、あえてバランスを崩して回転させるような位置に錘１３０を収納させることも可能である。
【００４３】
本実施形態で説明した空洞部の数や配置は一例に過ぎず、これ以外にも、空洞部の数や配置が異なるさまざまなベーゴマとすることができる。そのような場合に、錘の収納位置をどのようにすればいいかについては、使用者の技術しだいである。この点で、ベーゴマ競技などにおいて新たな競技要素を提供することができる。
【００４４】
（第１の実施形態の効果）
以上説明したように、本実施形態によれば、空洞部１２０に錘１３０を収納することによって、ベーゴマ１００の重さを容易に変更することができる。よって、使用者の力量に最も適した重さに調整されたベーゴマ１００を実現することができる。
【００４５】
また、空洞部１２０は複数個設けられるため、収納する錘１３０の組合せによりベーゴマ本体１１０の外形及び寸法を変えることなく総重量が調整できる。
【００４６】
また、錘１３０は空洞部１２０にネジ嵌合又は挟み込みにより着脱自在に収納されるため、空洞部１２０に収納する錘１３０の組合せによりベーゴマ本体１１０の外形及び寸法を変えることなく総重量を調整することができる。
【００４７】
（他の実施形態）
以下の実施形態では、特に上記第１の実施形態と異なる点を中心に説明する。上記第１の実施形態又はすでに説明した実施形態と実質的に同様の点については、重複説明を省略することがある。
【００４８】
（第２の実施形態）
第２の実施形態にかかるベーゴマ２００について、図３〜図５を参照しながら説明する。図３は本実施形態のベーゴマ２００を示す図である。図４はベーゴマ本体２１０を説明するための図である。図５はカートリッジ２４０を説明するための図である。
【００４９】
本実施形態のベーゴマ２００は、図３に示したように、ベーゴマ本体２１０と、錘２３０を着脱自在に収納する空洞部２２０と、空洞部２２０に収納される錘２３０と、錘２３０が収納される１又は複数の空洞部２２０が形成されるカートリッジ２４０と、カートリッジ収納部２１２を覆うとともに錘２３０を固定する蓋２５０を備えて構成される。本実施形態にかかるベーゴマ２００も、上記第１の実施形態と同様にリボルバー式である。上記第１の実施形態では錘１３０を収納する空洞部１２０をベーゴマ本体１１０に直接形成したが、本実施形態では、空洞部を形成したカートリッジを、ベーゴマ本体に着脱自在に収納するようにした。すなわち、空洞部を、ベーゴマ本体にカートリッジを介して間接的に設けるようにした。
【００５０】
本実施形態のベーゴマ２００は、図３に示したように、ベーゴマ本体２１０にカートリッジ収納部２１２が形成されている。カートリッジ収納部２１２には、カートリッジ２４０が収納される。カートリッジ２４０には、１又は複数の錘２３０が着脱自在に収納される空洞部２２０が設けられている。さらに、ベーゴマ本体２１０にはカートリッジ収納部２１２を覆うとともに錘２３０を固定する蓋２５０が設けられる。
【００５１】
本実施形態のベーゴマ２００は、１又は複数の錘２３０が収納されたカートリッジ２４０をベーゴマ本体２１０に着脱自在に組み付ける点と、ベーゴマ本体２１０に蓋２５０を設けた点が上記第１の実施形態と相違するが、その他の点については上記第１の実施形態と同様である。例えば、空洞部２２０及び錘２３０は、上記第１の実施形態の空洞部１２０及び錘１３０と実質的に同様である。以下では、ベーゴマ本体２１０、カートリッジ２４０、蓋２５０を中心に説明する。
【００５２】
（ベーゴマ本体２１０）
ベーゴマ本体２１０には、図３及び図４に示したように、上部にカートリッジ２４０を着脱自在に収納可能なカートリッジ収納部２１２が形成されている。また、ベーゴマ本体２１０の上部の側部には、後述する蓋２５０を着脱自在に係合するための係合溝２１０ａが設けられている。
【００５３】
（カートリッジ２４０）
カートリッジ２４０は、図３及び図５に示したように、ベーゴマ本体２１０のカートリッジ収納部２１２に嵌め合わされる大きさの円柱状であり、上記第１の実施形態の空洞部１２０と同様に７つの空洞部２２０が設けられている。空洞部２２０には、錘２３０が組み込まれる。上記第１の実施形態と同様に１又は複数の錘２３０を収納したカートリッジ２４０を、ベーゴマ本体２１０のカートリッジ収納部２１２に収納することによって、錘２３０がベーゴマ本体２１０に収納される。なお、カートリッジ１４０は任意の材質で構成することができるが、弾力性のある材質、例えばゴム製又は軟性プラスチック製にすると、カートリッジ１４０をカートリッジ収納部２１２に嵌合させやすい。
【００５４】
（蓋２５０）
蓋２５０は、図３及び図４に示したように、ベーゴマ本体２１０の上面全面を覆うことが可能である。蓋２５０には縁部が中心方向に屈曲した係合片２５０ａが形成されている。係合片２５０ａは、ベーゴマ本体２１０の係合溝２１０ａに係合することでベーゴマ本体２１０に装着される。
【００５５】
蓋２５０の材質等は任意であるが、一例として透明の材質とすることができる。蓋２５０を透明にした場合、空洞部２２０に時計、彫金、彫像、銅像、粘土細工、ジオラマ、絵画を収納すると、蓋２５０を介してこれらが見える。また、時計、彫金、彫像、銅像、粘土細工、ジオラマ、絵画を所定重量に設計して錘２３０の代わりにすることができる。さらに、透明の蓋２５０を介して、錘２３０がどのように収納されているか確認することができる。
【００５６】
本実施形態にかかるベーゴマ２００の構成について説明した。次に、ベーゴマ２００の重量調整方法について説明する。
【００５７】
まず、空洞部２２０に錘２３０を組み込む。第１の実施形態と同様に、組み込む錘２３０の数によってカートリッジ２４０の重さが変更される。次に、カートリッジ２４０をベーゴマ本体２１０のカートリッジ収納部２１２に収納する。最後に、ベーゴマ本体２１０に蓋２５０を被せ、ベーゴマ本体２１０の係合溝２１０ａに蓋の係合片２５０ａを係合させることによって、錘２３０をベーゴマ本体２１０に固定する。なお、カートリッジ２４０を先にベーゴマ本体２１０に収納した後に、錘２３０を空洞部２２０に組み込むようにしてもよい。
【００５８】
（第２の実施形態の効果）
以上説明したように、本実施形態によれば、上記第１の実施形態の効果に加えて、カートリッジ２４０をベーゴマ本体２１０に着脱するという１回の作業で、ベーゴマ本体２１０に１又は複数個の錘２３０を同時に着脱することができるので、着脱作業が容易である。
【００５９】
また、ベーゴマ本体２１０に蓋２５０を被せることにより、錘２３０を空洞部２２０に固定することができる。
【００６０】
なお、本実施形態では、錘２３０が収納される空洞部２２０がカートリッジ２４０に設けられており、錘２３０がカートリッジ２４０を介してベーゴマ本体２１０に着脱されることについて説明した。かかる構成でも、ベーゴマ本体２１０に空洞部２２０が設けられていると解釈できることは言うまでもない。すなわち、ベーゴマ本体２１０には、カートリッジ２４０を介して、間接的に空洞部２２０が設けられている。さらに別の解釈として、以下のように解釈することもできる。すなわち、錘２３０とカートリッジ２４０の全体を、１つの「重さ可変な錘」と解釈することもできる。この場合、カートリッジ収納部２１２が本発明の空洞部に相当する。
【００６１】
（第３の実施形態）
第３の実施形態にかかるベーゴマ３００について、図６及び図７を参照しながら説明する。図６は、ベーゴマ３００を説明するための図である。図７は、錘３３０を説明するための図であり、（ａ）は平面図であり、（ｂ）は側断面図である。
【００６２】
本実施形態のベーゴマ３００は、図６に示したように、ベーゴマ本体３１０の空洞部３２０に、外径が同一で重さの異なる積層可能な複数種類の円形プレート状の錘３３０が収納されて構成されるものである。ベーゴマ３００は、これらの他に蓋３５０を備えて構成される。ベーゴマ本体３１０と蓋３５０は、第２の実施形態のベーゴマ本体２１０と蓋２５０と実質的に同様である。以下では、空洞部３２０及び錘３３０を中心に説明する。
【００６３】
空洞部３２０は、図６に示したように、ベーゴマ本体３１０の上部に円筒状に形成されており、第２の実施形態のカートリッジ収納部２１２と実質的に同様の構成である。空洞部３２０には、円形プレート状の錘３３０−１〜３３０−４を積層して複数収納することが可能である。
【００６４】
錘３３０−１〜３３０−４は、図７（ａ）に示したように、円形プレート状であり、図６に示したように、ベーゴマ本体３１０の空洞部３２０に嵌め合わされる。以下、このような構成をプレート式という。また、錘３３０−１〜３３０−４は、図７（ｂ）に示したように、直径は同じであるが、厚みの異なる数種類が用意される。
【００６５】
ベーゴマ本体３１０の重さの調整は、図６に示したように、ベーゴマ本体３１０の空洞部３２０に１枚又は２枚以上の錘３３０−１〜３３０−４を積層して収納し、蓋３５０を被せて固定することにより行われる。同じ錘を複数枚積層してもよく、異なる錘を積層してもよい。なお、蓋３５０は、上記第２の実施形態の蓋２５０と実質的に同様である。
【００６６】
（第３の実施形態の効果）
以上説明したように、本実施形態によれば、複数種類の円形プレート状の錘３３０−１〜３３０−４を組み合わせて積層することによってベーゴマ本体３１０の外形及び寸法を変えることなく総重量を調整することができる。また、空洞部３２０がベーゴマ本体３１０の中心に１つ設けられているため、錘３３０−１〜３３０−４をベーゴマ本体３１０と同軸にはめ込むことができる。このため、ベーゴマ３００の回転のバランスを保つことができる。ただし、本実施形態は一例に過ぎず、円形プレート状の錘は１枚であってもよい。
【００６７】
（第４の実施形態）
第４の実施形態にかかるベーゴマについて、図８を参照しながら説明する。図８は、本実施形態のベーゴマに用いられる錘４３０を説明するための図であり、（ａ）は平面図であり、（ｂ）は側断面図である。なお、本実施形態は、第３の実施形態の錘３３０（図６）に代えて、錘４３０を採用したものであることから、図６も参照しながら説明する。
【００６８】
本実施形態のベーゴマは、第３の実施形態のベーゴマ本体３１０の空洞部３２０に、外径と厚みが同一であり、内径が異なる複数種類の円筒リング状の錘４３０が収納されて構成されるものである。以下、錘４３０について説明する。
【００６９】
本実施形態もプレート式であるが、図８に示したように、錘の形状が上記第３の実施形態と異なる。本実施形態では、上記第３の実施形態の円形プレート状の錘３３０に代えて、図８に示したような円筒リング状の錘４３０−１〜４３０−５としたことを特徴とする。これらの錘４３０−１〜４３０−５は、外径は同一であるが、内径Ａが異なることによって、それぞれ重さが異なるようにしたものである。なお、錘４３０−１は、内径Ａが０の場合を示しており、実質的には、上記第３の実施形態のように円形プレート状の錘となっている。
【００７０】
錘４３０−１〜４３０−５の外径は、ベーゴマ本体３１０の空洞部３２０に嵌め合わされる大きさである。これら円筒リング状の錘４３０−１〜４３０−５を組み合わせて組み込むことにより、さまざまな重さのベーゴマにすることができる。
【００７１】
（第４の実施形態の効果）
以上説明したように、本実施形態によれば、任意の重さの錘４３０−１〜４３０−５をベーゴマ本体３１０の空洞部３２０に同軸に嵌め込み固定することにより重量調整できる。また、空洞部３２０がベーゴマ本体３１０の中心に１つ設けられているため、錘４３０−１〜４３０−５はベーゴマ本体３１０と同軸にはめ込むことができる。このため、ベーゴマの回転のバランスを保つことができる。ただし、本実施形態は一例に過ぎず、円筒プレート状の錘は１枚であってもよい。
【００７２】
（第５の実施形態）
第５の実施形態にかかるベーゴマ５００について、図９を参照しながら説明する。図９は、ベーゴマ５００を説明するための図である。本実施形態にかかるベーゴマ５００は、図９に示したように、ベーゴマ本体５１０と、空洞部５２０と、錘５３０と、ボルト５５０を備えて構成される。以下、各構成要素の構成について上記実施形態と異なる点を中心に説明する。
【００７３】
ベーゴマ本体５１０には、図９に示したように、軸心の上部に軸心方向に突出した突出部５１０ａが形成されている。また、ベーゴマ本体５１０にはネジ穴５１０ｂが形成されており、ベーゴマ本体５１０に錘５３０を固定するためのボルト５５０が螺合される。空洞部５２０は、突出部５１０ａの側面と、突出部５１０ａの周りのベーゴマ本体５１０の上面とによって構成される。
【００７４】
錘５３０は中心の空間５３０ａが形成された肉薄の円筒リング状であり、ボルト５５０が貫通する貫通孔５３０ｂも形成されている。錘５３０は、突出部５１０ａが空間５３０ａを挿通するようにベーゴマ本体５１０の上面に載置されることにより、空洞部５２０に収納される。錘５３０は複数枚を重ね合わせて収納することができ、比重の異なる材質の錘を組み合わせること、もしくは、重ね合わせる数を変更することにより、ベーゴマ５００の重さを変更することができる。空洞部５２０に収納された錘５３０は、ボルト５５０でベーゴマ本体５１０にネジ止めされることによって、ベーゴマ本体５１０に固定される。なお、ベーゴマ本体５１０に錘５３０が固定された状態では、図９に示したように、ベーゴマ５００の上面はほぼ平らになる。
【００７５】
（第５の実施形態の効果）
以上説明したように、本実施形態によれば、錘５３０は、複数枚重ね合わせて用いられ、重ね合わせる数を変更することによりベーゴマ５００の重さを変更することができる。錘５３０は、中心の空間５３０ａをベーゴマ本体５１０の突出部５１０ａに挿入し、貫通孔５３０ｂにボルト５５０を貫通させてベーゴマ本体５１０のネジ穴５１０ｂにネジ止めされることによって、容易に固定することができる。
【００７６】
（第６の実施形態）
第６の実施形態にかかるベーゴマ６００について、図１０を参照しながら説明する。図１０は、ベーゴマ６００を説明するための図である。本実施形態のベーゴマ６００は、図１０に示したように、ベーゴマ本体６１０と、空洞部６２０と、錘６３０と、を備えて構成される。ベーゴマ本体６１０の主な構成は、上記第１の実施形態のベーゴマ本体１１０等と同様であるため重複説明を省略する。以下、空洞部５２０及び錘６３０を中心に説明する。
【００７７】
空洞部６２０は、図１０（ａ）に示したように、深さが錘６３０の高さよりも深く構成されている。錘６３０は、図１０（ｂ）に示したように、空洞部６２０に所望の深さまでねじ込むことによってベーゴマ本体６１０に取り付けられる。ねじの構成については、上記実施形態と同様である。
【００７８】
また、錘６３０の組み込み高さを左右で変えることもできる。図１１はベーゴマ６００に錘６３０を３つ収納した状態を示す図であり、（ａ）は平面図であり、（ｂ）は（ａ）の側断面図であり、（ｃ）は回転時に傾いた状態を示す側断面図である。図１１（ａ）、（ｂ）に示したように、錘６３０の組み込み高さを左右で変えることにより、図１１（ｃ）に示したように、左右の重心高がアンバランスになり、ベーゴマ６００を斜めに傾いた状態で回転させることができる。図１１（ｃ）において、３つの錘６３０の重心を結ぶ線は、地面にほぼ平行である。
【００７９】
（第６の実施形態の効果）
以上説明したように、本実施形態によれば、空洞部６２０の深さに対する錘６３０の位置を適宜設定することができるため、ベーゴマ６００の重心の高さを変えることができる。よって、ベーゴマ６００の回転特性、例えば安定感などを変えることができる。また、錘６３０の組み込み高さを変えることにより、重心高がアンバランスになり、ベーゴマ６００を斜めに傾いた状態で回転させることができる。
【００８０】
（第７の実施形態）
第７の実施形態にかかるベーゴマ７００について、図１２を参照しながら説明する。図１２は、ベーゴマ７００を説明するための図である。本実施形態にかかるベーゴマ７００は、図１２に示したように、ベーゴマ本体７１０と、空洞部７２０と、錘７３０と、ボルト７５０と、を備えて構成される。ベーゴマ本体７１０と、空洞部７２０と、錘７３０は、以下の点を除いて第１の実施形態のベーゴマ本体１１０、空洞部１２０、及び錘１３０と同様である。以下、ベーゴマ本体７１０、空洞部７２０、及び錘７３０の第１の実施形態と相違する点、及びボルト７５０を中心に説明する。
【００８１】
本実施形態のベーゴマ７００は、図１２に示したように、ベーゴマ本体７１０の円錐部７１０ａの外周より突出して空洞部７２０に錘７３０が収納されて構成される。ベーゴマ７００はリボルバー式であり、図１２に示したように、ベーゴマ本体７１０には、軸心に設けられる中央の空洞部７２０−１と、外周側の空洞部７２０−２〜７２０−９が形成される。外周側の空洞部７２０−２〜７２０−９は円錐部７１０ａの外周において一部が切り欠かれている。このため、外周側の空洞部７２０−２〜７２０−９に収納された錘７３０の一部がベーゴマ本体７１０の円錐部７１０ａの外周より突出する。
【００８２】
さらに、ベーゴマ本体７１０には、ボルト７５０が螺合するネジ穴７１０ｂが空洞部７２０の底部から形成されている。また、錘７３０にはボルト７５０が貫通する貫通孔７３０ａが形成されている。空洞部７２０に収納された錘７３０は、ボルト７５０が貫通孔７３０ａを貫通し、ネジ穴７１０ｂに螺合されることによって、空洞部７２０に着脱自在に固定される。
【００８３】
（第７の実施形態の効果）
以上説明したように、本実施形態によれば、錘７３０がベーゴマ本体７１０の円錐部７１０ａの外周より突出して設けられることにより、ベーゴマ同士がぶつかり合う打突部を構成することができる。また、錘７３０の形状を変えることで、打突部に適した形状（多角形、すくい角を持った形状など）にすることができる。さらに、空洞部７２０に収納する錘７３０の大きさ、材質及び個数を変更することにより重量調整をすることができる。
【００８４】
（第８の実施形態）
第８の実施形態にかかるベーゴマ８００について、図１３を参照しながら説明する。図１３は、ベーゴマ８００を説明するための図である。本実施形態にかかるベーゴマ８００は、図１３に示したように、ベーゴマ本体８１０と、空洞部８２０と、錘８３０と、摩擦部材８６０と、を備えて構成される。ベーゴマ本体８１０と、空洞部８２０と、錘８３０は、以下の点を除いて第７の実施形態のベーゴマ本体７１０と、空洞部７２０と、錘７３０と同様である。以下、ベーゴマ本体８１０、空洞部８２０、及び錘８３０の第７の実施形態と相違する点、及び摩擦部材８６０を中心に説明する。
【００８５】
本実施形態のベーゴマ８００は、空洞部８３０の内壁面にゴム又は軟性プラスチックの摩擦部材８６０が設けられ、錘８３０を弾力又は摩擦力により保持するように構成されるものである。ベーゴマ８００は、リボルバー式であり、上記第７の実施形態のベーゴマ７００とほぼ同様である。ベーゴマ本体８１０には、図１３に示したように、上記第７の実施形態のベーゴマ本体７１０の空洞部７２０−１〜７２０−９と同様の位置に空洞部８２０−１〜８２０−９が設けられている。
【００８６】
上記第７の実施形態では空洞部７２０−１〜７２０−９にネジ穴７１０ｂが設けられているが、本実施形態の空洞部８２０−１〜８２０−９にはネジ穴が設けられていない。代わりに、空洞部８２０−１〜８２０−９の内壁面には、弾力又は摩擦の大きいゴムや軟性プラスチックなどの摩擦部材８６０が設けられている。なお、摩擦部材８６０は、錘８３０を保持する保持力が担保されていれば、空洞部８２０−１〜８２０−９の内壁面の全面に設けられていてもよく、部分的に設けられていてもよい。
【００８７】
本実施形態の錘８３０は、図２（ｂ）で示したような、ネジが形成されていない円柱状のものとすることができる。錘８３０をシンプルに構成することができる。錘８３０は、空洞部８２０−１〜８２０−９に収納される際には、錘８３０が空洞部８２０−１〜８２０−９に挿入されるだけで、摩擦部材８６０の弾力又は摩擦力によって空洞部８２０−１〜８２０−９に保持される。
【００８８】
（第８の実施形態の効果）
以上説明したように、本実施形態によれば、錘８３０を空洞部８２０−１〜８２０−９に挿入するだけで、摩擦部材８６０の弾性又は摩擦力によって錘８３０が保持される。よって、錘８３０は空洞部８２０−１〜８２０−９から抜け出すことなく収納される。シンプルな構成で、上記第７の実施形態と同様の効果が得られる。
【００８９】
なお、本実施形態の構成は、他の実施形態にも応用可能である。例えば、錘８３０の構成は、リボルバー式の他の実施形態にも応用可能である。また、空洞部を設けたカートリッジをベーゴマ本体に設ける場合には、カートリッジ全体をゴム製又は軟性プラスチック製にすることもできる。
【００９０】
（第９の実施形態）
第９の実施形態にかかるベーゴマ９００について、図１４及び図１５を参照しながら説明する。図１４及び図１５は、ベーゴマ９００を説明するための図である。本実施形態にかかるベーゴマ９００は、図１４及び図１５に示したように、ベーゴマ本体９１０と、空洞部９２０と、錘９３０と、ボルト９５０と、を備えて構成される。ベーゴマ本体９１０と、空洞部９２０と、ボルト９５０は、上記第５の実施形態のベーゴマ本体５１０と、空洞部５２０と、ボルト５５０と実質的に同様であるため、重複説明を省略する。以下、第５の実施形態と相違する錘９３０を中心に説明する。
【００９１】
錘９３０は、図１４（ａ）及び図１５（ａ）に示したように、正方形としたことを特徴とする。錘９３０の中心には、第５の実施形態と同様にベーゴマ本体９１０の突出部９１０ａが挿通する空間９３０ａが形成されている。錘９３０のベーゴマ本体９１０の空洞部９２０への収納方法は、以下の点を除いて上記第５の実施形態と実質的に同様である。
【００９２】
すなわち、錘９３０は、図１４（ｂ）に示したように、正方形の向きを同じ向きに重ね合わせてベーゴマ本体９１０の空洞部９２０に取り付けたり、図１５に示したように、上下に重なり合う錘９３０の正方形の向きを４５度回転させた状態でベーゴマ本体９１０の空洞部９２０に取り付けたりすることが可能である。錘９３０は、空洞部９２０に収納された状態で、ボルト９５０によってベーゴマ本体９１０に固定される。
【００９３】
（第９の実施形態の効果）
以上説明したように、本実施形態によれば、図１３のような打突部が外周上に４か所の状態と、図１４のような打突部が８箇所の状態とを切り替えることができる。例えばベーゴマ競技のときには、対戦相手のベーゴマの形状に合わせて打突部の数を４箇所と８箇所のいずれかに変形することができる。
【００９４】
なお、本実施形態では、錘９３０の形状として正方形（正四角形）について説明したが、任意の正多角形の錘を採用することができる。例えば、正六角形の錘の場合は３０度、正八角形の錘の場合は２２．５度、正十角形の錘の場合は１８度ずらすことで、それぞれ正八角形、正十二角形、正十六角形、正二十角形の外形を構成することができる。
【００９５】
（第１０の実施形態）
第１０の実施形態にかかるベーゴマ１０００について、図１６及び図１７を参照しながら説明する。図１６及び図１７は、ベーゴマ１０００を説明するための図である。本実施形態にかかるベーゴマ１０００は、図１６及び図１７に示したように、ベーゴマ本体１０１０と、空洞部１０２０と、錘１０３０と、ボルト１０５０と、蓋１０６０と、を備えて構成される。ベーゴマ本体１０１０と、空洞部１０２０と、錘１０３０は、以下の点を除いて第１の実施形態のベーゴマ本体１１０、空洞部１２０、及び錘１３０と同様である。以下、ベーゴマ本体１０１０、空洞部１０２０、及び錘１０３０の第１の実施形態と相違する点、及びボルト１０５０、蓋１０６０について説明する。
【００９６】
本実施形態のベーゴマ１０００は、錘１０３０が、ベーゴマ本体１０１０の外周より突出する状態（図１６）と、ベーゴマ本体１０１０の外周より突出しない状態（図１７）とを切り替え可能に空洞部１０２０に収納されることを特徴とする。以下、順に説明する。
【００９７】
ベーゴマ本体１０１０は、図１６（ａ）、図１７（ａ）に示したように、外周に４か所の開口部１０１０ａが設けられており、この開口部１０１０ａから錘１０３０を出没することができる。空洞部１０２０は、ベーゴマ本体１０１０のほぼ全面に設けられており、錘１０３０が４個収納されている。蓋１０６０は、図１６（ｂ）、図１７（ｂ）に示したように、ベーゴマ本体１０１０及び空洞部１０２０の上面全体を覆うように設けられる。蓋１０６０にも、錘１０３０が突出した際にじゃまにならないように、外周に４か所の切り欠き１０６０ａが設けられている。
【００９８】
錘１０３０は、空洞部１０２０に２行２列で４個収納されている。各錘１０３０を上面から見た形状は、図１６（ａ）、図１７（ａ）に示したように、ベーゴマ本体１０１０の外周形状に合わせて四角形の一部が欠けた形状であり、この欠けている部分がベーゴマ本体１０１０の外周より突出する。錘１０３０は、空洞部１０２０に対してボルト１０５０によってネジ止めされている。ボルト１０５０は、空洞部１０２０の底面に設けられるネジ穴（不図示）によって、固定される。錘１０３０には、ネジ溝１０３０ａが形成されており、ねじ１０５０とネジ溝１０３０ａとを相対移動させてねじ止めすることができる。このようにして、錘１０３０がベーゴマ本体１０１０の開口部１０１０ａから突出した状態と突出しない状態とを切り替えることができる。
【００９９】
（第１０の実施形態の効果）
以上説明したように、本実施形態によれば、錘１０３０をベーゴマ本体１０１０の外周より突出させることにより、ベーゴマ同士がぶつかり合う打突部を構成することができる。このような打突部がある状態と、打突部がない状態とを切り替えることができる。
【０１００】
（第１１の実施形態）
第１１の実施形態にかかるベーゴマについて説明する。本実施形態のベーゴマは、錘が収納される空洞部を、ベーゴマ本体の回転軸に対して非対称となる位置に設けたことを特徴とする。その他の点については、上記実施形態と実質的に同様であるので、重複説明を省略する。
【０１０１】
（第１１の実施形態の効果）
以上説明したように、本実施形態によれば、非対称となる位置に設けられた空洞部に錘を収納することで、回転時に芯振れを起こすことなどができ、ベーゴマの動きにバリエーションが広がる。
【０１０２】
以上、添付図面を参照しながら本発明の好適な実施形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。
【０１０３】
例えば、上記実施形態では、空洞部がすべて同じ形状である例について説明したが、本発明はこれに限定されない。空洞部は異なる形状であってもよい。
【０１０４】
以上説明した各実施形態の内容は、その構成又は技術思想の一部又は全部を、適宜組み合わせて実施できる。例えば、打突部を設ける構成（第８又は第９の実施形態）においても、打突部の全体を覆うような蓋を設ける構成（第２の実施形態）を採用することができる。また、プレート式の錘を収納できるカートリッジを備えた構成としてもよい。このように、各実施形態の内容の任意の組み合わせが可能である。
【符号の説明】
【０１０５】
１００、２００、・・・、１０００  ベーゴマ
１１０  ベーゴマ本体
１２０、３３０  空洞部
１２０−１  中央の空洞部
１２０−２〜１２０−７  周囲の空洞部
１２０ａ  雌ネジ
１３０  錘
１３０ａ  雄ネジ
１３０ｂ  溝
２１０、３１０  ベーゴマ本体
２１０ａ  係合溝
２１２  カートリッジ収納部
２２０  空洞部
２３０  錘
２４０  カートリッジ
２５０  蓋
２５０ａ  係合片
３３０−１〜３３０−４  錘
４３０−１〜４３０−５  錘
５１０  ベーゴマ本体
５１０ａ  突出部
５１０ｂ  ネジ穴
５３０  錘
５３０ａ  中心の空間
５３０ｂ  貫通孔
５５０  ボルト
６００  ベーゴマ
６１０  ベーゴマ本体
６２０  空洞部
６３０  錘
７１０  ベーゴマ本体
７１０ａ  円錐部
７１０ｂ  ネジ穴
７２０  空洞部
７２０−１  中央の空洞部
７２０−２〜７２０−９  外周側の空洞部
７３０  錘
７３０ａ  貫通孔
７５０  ボルト
８１０  ベーゴマ本体
８２０  空洞部
８２０−１  中央の空洞部
８２０−２〜８２０−９  外周側の空洞部
８３０  錘
８６０  摩擦部材
９１０  ベーゴマ本体
９１０ａ  突出部
９３０  錘
９３０ａ  中心の空間
９３０ｂ  貫通孔
９５０  ボルト
１０１０  ベーゴマ本体
１０１０ａ  開口部
１０２０  空洞部
１０３０  錘
１０３０ａ  ネジ溝
１０５０  ボルト
１０６０  蓋
１０６０ａ  切り欠き
Ａ  内径
【図１】
2018033513.tif 000003
【図２】
2018033513.tif 000004
【図３】
2018033513.tif 000005
【図４】
2018033513.tif 000006
【図５】
2018033513.tif 000007
【図６】
2018033513.tif 000008
【図７】
2018033513.tif 000009
【図８】
2018033513.tif 000010
【図９】
2018033513.tif 000011
【図１０】
2018033513.tif 000012
【図１１】
2018033513.tif 000013
【図１２】
2018033513.tif 000014
【図１３】
2018033513.tif 000015
【図１４】
2018033513.tif 000016
【図１５】
2018033513.tif 000017
【図１６】
2018033513.tif 000018
【図１７】
2018033513.tif 000019